(57)【特許請求の範囲】
【請求項１】
透気性の袋体に発熱剤が収容された発熱体と、
透気性を有し、発熱体の外面全体を覆い、かつ相互が分離可能な積層状態で囲巻され、端部に摘み片を有した複数枚の断熱シートと、
発熱体を覆うように積層された複数枚の断熱シートを収容し、一部に各断熱シートの摘み片を外部へ突出させる開口を有した収容袋と、
からなり、
収容袋の開口を介して積層された一部の断熱シートを分離して外部へ取出すことにより表面温度を所望の温度に調節可能にした使い捨てカイロ。
【請求項２】
請求項1において、収容袋の外面に接着材を設けて粘着可能にした使い捨てカイロ。
【発明の詳細な説明】
【０００１】
【発明の属する技術分野】
この発明は、金属粉の酸化による発熱作用を利用した使い捨てカイロに関する。
【０００２】
【発明が解決しようとする課題】
従来、透気性を有した紙布、布(不織布、織布を含む)等の袋内に、金属粉、塩類及び水等を含有した発熱体組成物を収容し、袋体を透気した酸素により鉄等の金属粉を酸化させて発熱させる化学カイロが一般に知られている。
【０００３】
この種の使い捨て形の化学カイロ自体は金属粉の平均粒子径により発熱温度が設定されるが、使用態様としては人体や被服に直接貼り付けて使用している。このため、人体に直接貼り付けた使用態様にあっては、高温火傷や低温火傷を招く問題を有している。
【０００４】
この欠点は、化学カイロを布製袋内に収容して使用することにより解決し得るが、使用環境によっては人体を充分に暖めることが困難であると共に上記した布製袋を必要とすることにより使い勝手が悪かった。
【０００５】
本発明は、上記した従来の欠点を解決するために発明されたものであり、その課題とする処は、使い勝手に優れ、低温火傷や高温火傷を有効に防止することができる使い捨てカイロを提供することにある。
【０００６】
又、本発明の他の課題は、簡易に使用者が所望する温度で使用することができる使い捨てカイロを提供することにある。
【０００７】
【問題を解決するための手段】
請求項１は、透気性の袋体に発熱剤が収容された発熱体と、透気性を有し、発熱体の外面全体を覆い、かつ相互が分離可能な積層状態で囲巻され、端部に摘み片を有した複数枚の断熱シートと、発熱体を覆うように積層された複数枚の断熱シートを収容し、一部に各断熱シートの摘み片を外部へ突出させる開口を有した収容袋とからなり、収容袋の開口を介して積層された一部の断熱シートを分離して外部へ取出すことにより表面温度を所望の温度に調節可能にしたことを特徴とする。
【００１１】
【発明の実施の形態】
以下、本発明の実施形態を図に従って説明する。
実施形態１
図１は使い捨てカイロの全体斜視図、図２は図１のII−II線断面図である。
【００１２】
使い捨てカイロ１の発熱体３は、透気性を有した紙布、不繊布、繊布等の袋体５内に、鉄粉、アルミニウム粉等の金属粉、保水剤、反応促進剤、必要に応じて香料等を混合した発熱剤を収容してなり、該発熱剤は袋体５を透気する空気（酸素）により含有された金属粉が酸化する際に発熱させるもので、その発熱量は金属粉の平均粒子径により適宜選択される。尚、発熱体3内に収容される発熱剤に関しては従来公知の物であり、これに制約されるものではない。
【００１３】
そして発熱体３の外面には透気性を有した紙布、不繊布、繊布等からなる複数の断熱シート７が分離取出し可能に積層されている。これら各断熱シート７の一部(一辺又は角部)には摘み片７ａが設けられ、摘み片７ａを把持して断熱シート7を取り出して積層枚数を変更するように構成される。断熱シート７の積層枚数としては、図は３枚積層構成を示すが、少なくとも２枚以上であればよく、使用温度を微調整可能にするには積層枚数が多い方が良い。
【００１４】
そして積層された断熱シート７の最上層側には、透気性を有した紙布、不繊布、繊布又は合成樹脂フィルム等の収容袋９が被覆され、収容袋９の端部にはスリット９ａが各摘み片７ａを外部に突出させる幅で形成されている。スリット９ａを介して外部に突出した夫々の摘み片７ａにより夫々の断熱シート7を選択的に引っ張り出すことができる。
【００１５】
そして発熱体3及び断熱シート7を収容した収容袋９は非透気性の合成樹脂シートからなる包装袋（図示せず）内に収容されている。包装袋内に使い捨てカイロ1を収容する際に、包装袋内の空気を脱気（真空包袋）したり、内部に酸素吸収剤を内装すればよい。
【００１６】
上記のように構成された使い捨てカイロ１の使用例を説明する。
図３は温度調整状態を示す説明図である。
【００１７】
先ず、包装袋の一部を破袋して使い捨てカイロ１を取り出した後、使い捨てカイロ１を取り付ける場所等の使用環境や所望の温度に応じて収容袋９内から断熱シート７を選択的に引き出し、断熱シート７による断熱度を調整する。即ち、比較的低温で長時間使用する用途にあっては、そのままの状態又は収容袋９内から１枚程の断熱シート７を引き出して各断熱シート７による断熱度を高くする。反対に、比較的高温で使用しようとする場合には収容袋９内から、断熱シート７を１枚残した状態で他の断熱シート７を引き出し、断熱シート７による断熱層の厚さを薄くする。この使用態様にあっても、少なくとも一枚の断熱シート７を残すことにより火傷を防止することができる。
【００１８】
そして上記のように断熱シート７による断熱層の厚さが調整された発熱体３を使用者のポケット内に入れたり、肌に直接取り付けて使用する。この状態にあっては、発熱体３からの発熱量が被覆された断熱シート７の枚数により温度調整されているため、肌に直接取り付けた場合であっても低温火傷や高温火傷を防止することができる。
【００１９】
実施形態２
図４は実施形態２に係る使い捨てカイロを示す斜視図、図５は図４のV−V線断面図である。
【００２０】
本実施形態は、使い捨てカイロ２１を筒状に形成し、使用者の腕や脚に取り付けてアームウォーマーやレッグウオーマーとして使用するものであり、発熱体３、断熱シート７及び収容袋９を筒状に形成した以外は実施形態１と同様であり、その詳細な説明を省略する。
【００２１】
尚、断熱シート７及び収容袋９が被覆された発熱体３を包装袋１１内に収容する際には、発熱体３を偏平状にした状態で収容すればよい。
【００２２】
上記使い捨てカイロ２１の使用例としては、包装袋を破袋して偏平状の使い捨てカイロ２１を取り出した後に使用環境や所望温度に応じて必要枚数の断熱シート７を抜き出して断熱シート７による断熱層の厚さを調整する。そして使い捨てカイロ２１の内部を空洞化させた状態で着衣した足や腕を差し込み、アームウォーマーやレッグウォーマーとして使用する。
【００２４】
上記説明は、１個の使い捨てカイロ２１をレッグウォーマーやアームウォーマーとして使用したが、複数の使い捨てカイロ２１を、中空部が連続するように接合して長尺化し、腕や足を全体に亘って被覆するようにした構造であってもよい。この場合にあっては取り付けられる腕や足の各部位に応じて使い捨てカイロ２１の温度を調整することができる。又、使い捨てカイロ２１相互を接合する際に、使い捨てカイロ２１相互を伸縮性筒体により接合した構造であってもよい。これにより肘や膝の屈曲を容易化することができる。
【００２５】
実施形態１に係る使い捨てカイロ１の使用態様としては、例えば手袋内や靴内に中敷として直接取り付けてもよく、又、収容袋９の外面に接着テープを貼着し、被服や身体に直接貼り付け可能にしてもよい。
【００２８】
【発明の効果】
本発明は、使い勝手に優れ、低温火傷や高温火傷を有効に防止することができる。また、本発明の他の課題は、簡易に使用者が所望する温度で使用することができる。
【図面の簡単な説明】
【図１】使い捨てカイロの全体斜視図である。
【図２】図１のII−II線断面図である。
【図３】温度調整状態を示す説明図である。
【図４】実施形態２に係る使い捨てカイロを示す斜視図である。
【図５】図４のV−V線断面図である。
【符号の説明】
１・２１―使い捨てカイロ、３―発熱体、５―袋体、７―断熱シート
【図１】
0004392921.tif 000002
【図２】
0004392921.tif 000003
【図３】
0004392921.tif 000004
【図４】
0004392921.tif 000005
【図５】
0004392921.tif 000006